(57)【要約】      （修正有）【課題】架空クロージャ後設置を可能にし、低風圧且つダンシング抑制に優れた架空光ファイバケーブルを提供する。【解決手段】架空光ファイバケーブル４は、光ファイバケーブル１を支持線２の周囲に回転させて構成され、光ファイバケーブル１が支持線２の周りを所定数回転するごとに、光ファイバケーブル１と支持線２とを固定する接合部３を有している。光ファイバケーブル１の巻き付ける向きが、接合部３を基点として反転して構成されている。【選択図】図１
2009036834.tif 000002
【特許請求の範囲】
【請求項１】
光ファイバケーブルを支持線の周囲に回転させて構成される架空光ファイバケーブルであって、
前記光ファイバケーブルが前記支持線の周りを所定数回転するごとに、前記光ファイバケーブルと前記支持線とを固定する接合部を有し、
前記光ファイバケーブルを巻き付ける向きが、前記接合部を基点として反転して構成されていることを特徴とする架空光ファイバケーブル。
【請求項２】
前記所定数が、所定の架設領域に応じて定められていることを特徴とする、請求項１に記載の架空光ファイバケーブル。
【請求項３】
光ファイバケーブルを支持線の周囲に回転させて構成される架空光ファイバケーブルの製造方法であって、
前記光ファイバケーブルを前記支持線の周りに巻き付けるステップと、
前記光ファイバケーブルが所定数回転した位置で、前記光ファイバケーブルと前記支持線とを固定する接合部を設けるステップと、
前記光ファイバケーブルの巻き付ける向きを、前記接合部を基点として反転するステップと、
を含むことを特徴とする、架空光ファイバケーブルの製造方法。
【請求項４】
光ファイバケーブルを支持線の周囲に回転させて構成される架空光ファイバケーブルの架設方法であって、
前記架空光ファイバケーブルは、前記支持線の周りに所定数回転された位置で前記光ファイバケーブルを前記支持線に固定する接合部を有し、前記光ファイバケーブルを巻き付けた向きが前記接合部を基点として反転しており、
クロージャを設置するために所望される位置の接合部の接合を解除して、光ファイバケーブルを支持線から切り離すステップと、
前記接合部で支持線から切り離した光ファイバケーブルの被服材料を剥いで、前記光ファイバケーブルの心線をクロージャに収納するステップと、
前記クロージャを前記支持線に固定するステップと、
を含むことを特徴とする、架空光ファイバケーブルの架設方法。
【発明の詳細な説明】
【技術分野】
【０００１】
本発明は、通信用の伝送路として使用される架空光ファイバケーブルに関し、特に、支持線付き架空光ファイバケーブル、その製造方法及びその架設方法に関する。
【背景技術】
【０００２】
従来、支持線付き光ファイバケーブルとしては、図３〜６に示すような形状が知られている。図３は、支持線１３と光ファイバケーブル１１本体とを接続部１２とともに同一の被覆材料で押し出し成型した、８の字型支持線付き光ファイバケーブルを示す図である。図４は、支持線１６と光ファイバケーブル１４本体とを接続部１５とともに同一の被覆材料で押し出し成型し、接続部１５と併設してスリット１７が設けられた、８の字型窓あり支持線付き光ファイバケープルを示す図である。図５は、少心加入ケーブル等に用いられる、たるみ型支持線付き光ファイバケーブルを示す図である。図５（ａ）は、たるみ型支持線付き光ファイバケーブルの横断面図であり、図５（ｂ）は、たるみ型支持線付き光ファイバケーブルの上面図である。たるみ型支持線付き光ファイバケーブルは、支持線２１と光ファイバケーブル１９とを接続部２０で接続するとともに、光ファイバケーブル１９に予めたるみが生じるように構成されている。図６は、支持線２２の周りに光ファイバケーブル２３を巻き付けた、螺旋状ねじれ型支持線付き光ファイバケーブルを示す図である。
【０００３】
図３に示す８の字型支持線付き光ファイバケーブルは、その構造から風圧を受けて低周波振動が生じる現象（ダンシングと称される）や、送電線が雪などで凍り付き，風によって大きく振動してしまう現象（ギャロッピングと称される）を引き起こす傾向があり、対策として捻回を入れて架渉することにより、これらの現象を抑制できることが知られている（例えば、非特許文献１参照）。
【０００４】
図４に示す８の字型窓あり支持線付き光ファイバケーブルは、図３に示す窓無し構造のものと比較して低風圧効果があるものの、その構造からダンシング又はギャロッピングを引き起こす傾向があることは同様であり、窓無し構造のものと同様、捻回をいれて架渉することにより、これらの現象を抑制している。
【０００５】
図５に示すたるみ型支持線付き光ファイバケーブルは、光ファイバケーブルの架渉等に必要とされる余長の確保が容易にできるが、風圧に対する光ファイバケーブルの投影面積は、図３又は図４に示すものと同等である。
【０００６】
図６に示す螺旋状ねじれ型支持線付き光ファイバケーブルは、図３〜５に示す構造に比べ低風圧構造であり、且つダンシング又はギャロッピングを抑制するのに優れた構造といえる。また、支持線２２に対して適度な余長を確保することもできる。
【０００７】
【非特許文献１】岩田外、“自己支持型光ケーブルの風圧振動現象”、１９９６年電子情通信学会通信ソサイエティ大会、講演論文集Ｎｏ．２  Ｂ−９５４、社団法人電子通信学会、１９９６年８月３０日発行、ｐｐ．４３９
【発明の開示】
【発明が解決しようとする課題】
【０００８】
現在、光通信サービスの利用者の急増に伴い、光ファイバケーブルの架設量も増加の途をたどっており、電柱等の架空構造物にかかる負担が増大している。その中で光ファイバケーブルの低風圧化、ダンシング抑制が求められている。
【０００９】
前述した８の字型光ファイバケーブル及びたるみ型光ファイバケーブル（図３〜５参照）は、その構造が上下非対称であることにより、ある条件の風が当たると揚力が発生し振動が始まる。さらに、風からの駆動力を受けることにより振動が大きくなり、大振幅且つ低周波数の自励振動が起こることで、ダンシング、ギャロッピングが発生する。
【００１０】
そこで、図６に示す螺旋状ねじれ型支持線付き光ファイバケーブルのように、支持線の周りに光ファイバケーブルをねじらせることにより、低風圧効果又はダンシング抑制効果が得られることは知られている。
【００１１】
現在の螺旋状ねじれ型支持線付き光ファイバケーブルの施工形態として、図７（ａ）に示すように、複数の電柱２５を経由する支持線２２に光ファイバケーブル２３を巻き付け架設する際に、図７（ｂ）に示すように、各光通信の利用者２６への配線２７に必要なクロージャ２４（端子函とも称される。）を設置する形態をとっている。尚、クロージャ２４は、架空ケーブルの分岐等、配線変更を容易にするために用いられる。その際、図８に示すように、支持線２２で支持されるケース２４ａ，２４ｂからなるクロージャ２４内の光ファイバケーブル２３は、たるみを持つように構成される。
【００１２】
クロージャ２４の設置手順としては、一般的に、まず支持線２２から切り離した光ファイバケーブル２３の被服材料（即ち、外皮）を剥いで心線をクロージャ２４内に収納し、次に支持線２２でクロージャ２４を支えるように設置する。しかしながら、図６に示す螺旋状ねじれ型支持線付き光ファイバケーブルの場合、図９に示すように、電柱２５に架設された光ファイバーケーブル２３（図９（ａ）参照）の状態から、クロージャ２４を後設置する場合（図９（ｂ）参照）、クロージャ２４の両側部付近において、光ファイバケーブル２３のねじれ周期が極めて短くなってしまい、伝送損失等を考慮すると実際の運用に不向きな構造と云える。
【００１３】
そこで、本発明の目的は、風圧荷重を低減して、ダンシング又はギャロッピングの発生を抑制し、且つクロージャ内の光ファイバケーブルの接続点における引き通し構造を確保することが可能な架空光ファイバケーブル、その製造方法及びその架設方法を提供することにある。
【課題を解決するための手段】
【００１４】
本発明の架空光ファイバケーブルは、光ファイバケーブルを支持線の周囲に回転させて構成される架空光ファイバケーブルであって、前記光ファイバケーブルが前記支持線の周りを所定数回転するごとに、前記光ファイバケーブルと前記支持線とを固定する接合部を有し、前記光ファイバケーブルを巻き付ける向きが、前記接合部を基点として反転して構成されていることを特徴とする。
【００１５】
また、前記所定数が、所定の架設領域に応じて定められていることを特徴とする。
【００１６】
さらに、本発明の架空光ファイバケーブルの製造方法は、光ファイバケーブルを支持線の周囲に回転させて構成される架空光ファイバケーブルの製造方法であって、前記光ファイバケーブルを前記支持線の周りに巻き付けるステップと、前記光ファイバケーブルが所定数回転した位置で、前記光ファイバケーブルと前記支持線とを固定する接合部を設けるステップと、前記光ファイバケーブルの巻き付ける向きを、前記接合部を基点として反転するステップと、を含むことを特徴とする。
【００１７】
さらに、本発明の架空光ファイバケーブルの架設方法は、光ファイバケーブルを支持線の周囲に回転させて構成される架空光ファイバケーブルの架設方法であって、前記架空光ファイバケーブルは、前記支持線の周りに所定数回転された位置で前記光ファイバケーブルを前記支持線に固定する接合部を有し、前記光ファイバケーブルを巻き付けた向きが前記接合部を基点として反転しており、クロージャを設置するために所望される位置の接合部の接合を解除して、光ファイバケーブルを支持線から切り離すステップと、前記接合部で支持線から切り離した光ファイバケーブルの被服材料を剥いで、前記光ファイバケーブルの心線をクロージャに収納するステップと、前記クロージャを前記支持線に固定するステップと、
を含むことを特徴とする。
【発明の効果】
【００１８】
本発明によれば、架空光ファイバケーブルには次のような効果が生じる。
第１に、ＳＺ型ねじれ構造であることにより架空光ファイバケーブルの実効投影面積を小さくすることができるため、低風圧になり、且つ揚力がかかるベクトルを上下方向で相殺することができるようになる。このため、ギャロッピング又はダンシングを抑制する効果が生じる。
第２に、螺旋状ねじれ構造では架空光ファイバケーブルに対し垂直に当たった風が、該ケーブルの長手方向である一方向にとぐろを巻くような態様になるのに対し、本発明に係るＳＺ型ねじれ構造では該ケーブルの長手方向で所定数の回転（例えば、一回転）ごとに巻き付け方向が変化するため、風圧が分散し、更なる低風圧効果、更なるギャロッピング及びダンシング抑制効果が生じる。
第３に、クロージャの後設置に基づく光ファイバケーブルの伝送損失の増大を抑止するという効果がある。
【発明を実施するための最良の形態】
【００１９】
以下、本発明による実施例の架空光ファイバケーブルについて、図面を参照して説明する。
【００２０】
図１に、本発明による一実施例の架空光ファイバケーブルの概略を示す。図１（ａ）は、本実施例の架空光ファイバケーブルの側面図である。図１（ｂ）は、本実施例の架空光ファイバケーブルの上面図である。本実施例の架空光ファイバケーブル４は、光ファイバケーブル１を支持線２の周囲に回転させて構成される。さらに、光ファイバケーブル１が支持線２の周りを所定数回転（例えば一回転）するごとに、光ファイバケーブル１と支持線２とを固定する接合部３が設けられる。さらに、光ファイバケーブルの巻き付ける向きは、接合部３を基点として反転して構成されている。図２は、図１に示す接合部３周辺の拡大図である。
【００２１】
尚、支持線２又は光ファイバケーブル１の各々の構造は、既知の構造と同様と考えてよく、本発明の主題ではないため詳細な説明は省略する。支持線２又は光ファイバケーブル１を覆う被服材料は、ポリエチレン、塩化ビニルなどの合成樹脂で形成させることができ、接合部３は、汎用の接着剤や溶解性のポリエチレンを追加して形成する方法以外に、支持線２及び光ファイバケーブル１を覆う被服材料を熱処理で半溶解状態にさせ、支持線２及び光ファイバケーブル１の双方を接着した後、冷却する方法を用いてもよい。
【００２２】
図１に示す架空光ファイバケーブル４の製造方法は、光ファイバケーブル１を支持線２の周りに巻き付けるステップと、光ファイバケーブル１が所定数回転した位置で、光ファイバケーブル１と支持線２とを固定する接合部３を設けるステップと、光ファイバケーブル１の巻き付ける向きを、接合部３を基点として反転するステップとを含む。
【００２３】
この接合部３で反転させる光ファイバケーブル１の巻き付けは、所定の架設領域において一様な態様で繰り返して構成することができ、ＳＺ型のねじれで支持線に巻きつける。ここで、ＳＺ型ねじれとは、ねじれを周期的に反転させてできた形状のねじれを云う。また、所定の架設領域は、地域の状況や風圧を受けやすい方向等を考慮して予め定めておくことができる。さらに、支持線２の周りに光ファイバケーブル１を周回させる間隔は、支持線２や光ファイバケーブル１の大きさなどに応じて任意に設定できる。
【００２４】
本実施例の架空光ファイバケーブル４であれば、低風圧効果、且つギャロッピング及びダンシング抑止効果に優れた構造を有しており、図６に示す螺旋状ねじれ構造では困難であった、引き通し箇所におけるクロージャの後設置が容易に実現できるようになる。
【００２５】
次に、引き通し箇所におけるクロージャの後設置に関して、本発明による実施例の架空光ファイバケーブルの架設方法について説明する。
【００２６】
ここで、図6で説明したように架空光ファイバケーブル４を電柱に架渉した後に、光ファイバケーブルの接続点としてクロージャ２４を後設置する場合を考える。
【００２７】
ステップＳ１で、本実施例の架空光ファイバケーブル４において、クロージャ２４を設置するために所望される位置の接合部３の接合を解除して、光ファイバケーブル１を支持線２から切り離す。この切り離し処理には、カッターやレーザ等、任意の方法を用いることができる。
【００２８】
ステップＳ２で、支持線２から切り離した光ファイバケーブル１の被服材料（即ち、外皮）を剥いで、光ファイバケーブル１の心線をクロージャ２４に収納する。この際、クロージャ２４の設置位置では、光ファイバケーブル１の適度な余長が本実施例の構造により得られる。
【００２９】
ステップＳ３で、クロージャ２４を支えるように、クロージャ２４を支持線２に固定する。
【００３０】
本実施例の架空光ファイバケーブルの架設方法によれば、クロージャ２４の両側部における光ファイバケーブル１のねじれ周期を、クロージャ２４の設置前とほぼ同一の状態に保つことができる。これにより、クロージャ２４の設置によって生じうる光ファイバケーブル１の伝送損失の増大を抑止することができる。
【００３１】
前述した実施例では、支持線２に丸型断面の光ファイバケーブル１をＳＺ型にねじらせた形態について説明したが、光ファイバケーブルの断面形状はこれに限定されるものではない。例えば、支持線２に長方形断面の光ファイバケーブルをＳＺ型にねじらせる形態とすることもできる。更に、前述した実施例では、ファイバケーブル１が支持線２の周りを一回転するごとに、光ファイバケーブル１と支持線２とを固定する接合部３が設けられるとして説明したが、設置条件に応じて所定数回転させるごとに、光ファイバケーブル１と支持線２とを固定する接合部３が設けられるとしてもよい。従って、本発明は、前述した実施例に限定されるものではなく、その主旨を逸脱しない範囲において種々変更可能である。
【産業上の利用可能性】
【００３２】
上記に説明したとおり、本発明の架空光ファイバケーブルを用いれば、伝送損失を増大させることなく低風圧効果、且つギャロッピング及びダンシング抑制効果を得ることができる架空光ファイバケーブルを提供することができるため、架空光ファイバケーブルを利用する通信システムに有用である。
【図面の簡単な説明】
【００３３】
【図１】本発明による一実施例の支持線付き架空光ファイバケーブルを示す側面図及び上面図である。
【図２】本発明による一実施例の支持線付き架空光ファイバケーブルにおける接合部の拡大図である。
【図３】従来の８の字型支持線付き光ファイバケーブルを示す側面図である。
【図４】従来の８の字型窓あり支持線付き光ファイバケーブルを示す側面図である。
【図５】従来のたるみ型支持線付き光ファイバケーブルを示す側面図である。
【図６】従来の螺旋状ねじれ型支持線付き光ファイバケーブルを示す側面図である。
【図７】一般的なクロージャ設置前後の光ファイバケーブル架渉時の状態を示す図である。
【図８】一般的なクロージャ内部の光ファイバケーブルの状態を示す図である。
【図９】従来の螺旋状ねじれ型ケーブルにクロージャを後設置する場合の光ファイバケーブルの状態を示す図である。
【符号の説明】
【００３４】
１  光ファイバケーブル
２  支持線
３  接合部
４  架空光ファイバケーブル
１１  光ファイバケーブル
１２  接合部
１３  支持線
１４  光ファイバケーブル
１５  接合部
１６  支持線
１７  スリット
１９  光ファイバケーブル
２０  接合部
２１  支持線
２２  支持線
２３  光ファイバケーブル
２４  クロージャ
２４a，２４ｂ  クロージャのケース
２５  電柱
２６  光通信利用者
２７  増設配線
【図１】
2009036834.tif 000003
【図２】
2009036834.tif 000004
【図３】
2009036834.tif 000005
【図４】
2009036834.tif 000006
【図５】
2009036834.tif 000007
【図６】
2009036834.tif 000008
【図７】
2009036834.tif 000009
【図８】
2009036834.tif 000010
【図９】
2009036834.tif 000011